Podtech/llm-jp-corpus-v4-ja_patent huggingface dataset:
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
作業者の安全を確保するための安全手段と、作業場、前記作業場の機械・工具、前記作業場に出入りする前記作業者の少なくとも一つとを作業安全管理対象体とし、前記作業安全管理対象体の各々を識別するために前記作業安全管理対象体に付設するＩＤ―ＴＡＧと、前記ＩＤ―ＴＡＧに付与した認識符号を含むデータを読み取るＴＡＧリーダ／ライタと、コンピュータを有するホスト管理装置又は／及び現場管理端末と、を有していて、前記ホスト管理装置は、予めセットされた第１のプログラムにより、作業安全の計画を作成することに使用され、前記現場管理端末と前記現場管理端末及び前記ホスト管理装置に付設した通信手段を経由して前記ＴＡＧリーダ／ライタが読み取った前記認識符号を含む前記データを授受し、第１の作業安全判断出力を出すものであり、前記現場管理端末は、前記作業場、前記作業場の機械・工具、前記作業場に出入りする前記作業者に付設又は携帯され、マイクロコンピュータを組み込んだ端末であり、予めセットされた第２のプログラムにより、前記ＴＡＧリーダ／ライタに前記認識符号を含む前記データの読み取りを行わせ、読み取った前記認識符号を含む前記データを用いて、前記マイクロコンピュータのメモリに予め設定した前記作業安全管理対象体の第２の関連付けに照合して、第２の作業安全判断出力を出力するか、又は、読み取った前記認識符号を含む前記データを前記通信手段を経由して前記ホスト管理装置に送信し、前記ホスト管理装置で前記コンピュータのメモリに予め設定した前記作業安全管理対象体の第１の関連付けに照合して、第１の作業安全判断出力を出力することを助け、前記の第１の作業安全判断出力を前記通信手段を介して受け取ることで、前記第１の作業安全判断出力又は第２の作業安全判断出力を表示又は／及び音声出力、又は／及び電気接点出力を出す出力手段を有し、前記第２のプログラムの設定、又は／及び、前記認識符号を含む前記データ又は及び前記作業安全管理対象体の識別名の入力、又は／及び、予め設定された前記第１のプログラム又は／及び第２のプログラムの動作に絡むモードの選択のための入力手段を有するものであり、前記作業者が行う作業と前記安全手段を含む前記作業安全管理対象体について、前記ホスト管理装置又は／及び前記現場管理端末を用いた前記作業安全の計画段階で前記の第１の関連付け又は／及び第２の関連付けを行い、実施内容と予定を含めた作業安全の手順を作成し、前記作業安全の手順に基づいて、前記安全手段を含む前記作業安全管理対象体を付設し、前記ＲＦＩＤ―ＴＡＧを取り付け、又は、逆に、前記安全手段を含む前記作業安全管理対象体を付設し、前記ＲＦＩＤ―ＴＡＧを取り付けた後に、前記現場管理端末を用いて、前記作業安全の前記第１の関連付け又は第２の関連付けを行い、作業段階では、前記ＴＡＧリーダ／ライタで前記認識符号を含む前記データを読み取ることにより、前記ホスト管理装置又は／及び前記現場管理端末が、前記作業安全の計画又は前記作業安全の手順に定めたことに照合して、前記第１の関連付け又は／及び第２の関連付けされたことと前記認識符号を含む前記データの読み取り結果が一致するかどうかで前記安全手段が確保されているか否かを確認し、前記第１の作業安全判断出力又は／及び前記第２の作業安全判断出力として、対応する事実の報知又は／及び警報を出すか、又は／及び作業中止指令を出すことを特徴とする作業安全計画管理システム。
【請求項２】
前記現場管理端末が、前記認識符号を含む前記データを前記ＴＡＧリーダ／ライタから受け取って、前記ホスト管理装置との通信無しに、自ら、前記第２の作業安全判断出力を出すことが可能なスタンドアロンの構成において、前記ホスト管理装置の設置を省略したことを特徴とする請求項１記載の作業安全計画管理システム。
【請求項３】
前記ホスト管理装置又は／及び、前記現場管理端末の作業安全計画の記述欄に記述した項目が、前記手順又は／及びチェックリストの記述欄と関連づけられ、自動的に前記手順又は／及びチェックリストの記述欄に取り込まれ、前記手順又は／及びチェックリストが生成することを特徴とする請求項１又は請求項２に記載の作業安全計画管理システム。
【請求項４】
前記ホスト管理装置又は／及び、前記現場管理端末の表示画面の前記作業安全計画の計画画面は、ボタンのクリックにより、より詳細な記述の対応する計画画面を表示することを特徴とする請求項１から請求項３のいずれか一つに記載の作業安全計画管理システム。
【請求項５】
前記ホスト管理装置又は／及び、前記現場管理端末の表示画面の前記作業安全計画の作業内容と安全手段の確認ための記述欄には、予め決められた記述項目リストが存在し、そのリストから選ぶことで記述を容易ならしめたことを特徴とする請求項１から請求項４のいずれか一つに記載の作業安全計画管理システム。
【請求項６】
前記作業安全の計画において記述した前記安全手段がリストの形でまとめて見えるようにしたことを特徴とする請求項１から請求項５のいずれか一つに記載の作業安全計画管理システム。
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
入力データをファイルとして格納する不揮発記憶装置を有し、前記ファイルが前記不揮発記憶装置において記憶された領域を特定するための管理情報によって管理する情報処理装置において、
前記ファイルを削除すべき場合に、前記不揮発記憶装置において当該ファイルが記憶された領域を管理する管理情報を削除する削除手段と、
前記削除手段により前記管理情報が削除される場合に、消去対象として前記管理情報により特定される前記ファイルが記憶された領域を示す消去管理情報を保存する保存手段と、
前記保存手段で保存された前記消去管理情報に従って、前記不揮発記憶装置の前記ファイルが記憶された領域に対し所定のデータを書き込むことによって当該ファイルを消去する消去手段とを有することを特徴とする情報処理装置。
【請求項２】
前記ファイルとは異なる第２のファイルが前記不揮発記憶装置に記憶された場合、前記第２のファイルが記憶された領域が、前記保存手段で保存された消去管理情報によって特定される領域と重複するときには当該消去管理情報によって特定される領域から前記消去手段によって前記所定のデータを書き込む領域を除外すべく前記消去管理情報を更新する手段を有することを特徴とする請求項１に記載の情報処理装置。
【請求項３】
前記消去処理は、前記情報処理装置が未使用である状態が一定時間継続した場合に前記ファイルの消去を行うことを特徴とする請求項１または２に記載の情報処理装置。
【請求項４】
前記消去処理は、前記情報処理装置が通常電力状態から低消費電力状態へ遷移するタイミングで前記ファイルの消去を行うことを特徴とする請求項１または２に記載の情報処理装置。
【請求項５】
前記消去処理は、予め決められた時刻になったときに前記ファイルの消去を行うことを特徴とする請求項１または２に記載の情報処理装置。
【請求項６】
入力データをファイルとして格納する不揮発記憶装置を有し、前記ファイルが前記不揮発記憶装置において記憶された領域を特定するための管理情報によって管理する情報処理装置の制御方法であって、
前記ファイルを削除すべき場合に、前記不揮発記憶装置において当該ファイルが記憶された領域を管理する管理情報を削除し、
前記管理情報が削除される場合に、消去対象として前記管理情報により特定される前記ファイルが記憶された領域を示す消去管理情報を保存し、
前記保存された前記消去管理情報に従って、前記不揮発記憶装置の前記ファイルが記憶された領域に対し所定のデータを書き込むことによって当該ファイルを消去することを特徴とする情報処理装置の制御方法。
【請求項７】
入力データをファイルとして格納する不揮発記憶装置を有し、前記ファイルデータが前記不揮発記憶装置のデータ記憶部に記憶されるとともに、前記不揮発記憶装置のファイル管理記憶部の管理情報を介して管理され、前記不揮発記憶装置に格納した前記ファイルが不要となった後、前記データ記憶部上で当該ファイルが占めていた領域を消去する消去処理を行う情報処理装置の制御方法において、
前記不揮発記憶装置に格納した前記ファイルが不要となった時、前記ファイルに対して消去処理待ちの属性を付与するよう、かつ、前記ファイルが特定のファイル操作では不可視となるよう前記ファイル管理記憶部の管理情報を変更し、
前記消去処理を行うべき機会が到来した場合、前記ファイル管理記憶部において前記消去処理待ちとなっているファイルが占めている前記データ記憶部上の領域を所定の無意味なデータを用いて消去する消去処理を行うことを特徴とする情報処理装置の制御方法。
【請求項８】
請求項１〜６のいずれか１項に記載の情報処理装置の各手段をコンピュータにより実現することを特徴とする情報処理装置の制御プログラム。
【手続補正２】
【補正対象書類名】明細書
【補正対象項目名】００１６
【補正方法】変更
【補正の内容】
【００１６】
上記課題を解決するため、本発明の情報処理装置は、入力データをファイルとして格納する不揮発記憶装置を有し、前記ファイルが前記不揮発記憶装置において記憶された領域を特定するための管理情報によって管理する情報処理装置であって、前記ファイルを削除すべき場合に、前記不揮発記憶装置において当該ファイルが記憶された領域を管理する管理情報を削除する削除手段と、前記削除手段により前記管理情報が削除される場合に、消去対象として前記管理情報により特定される前記ファイルが記憶された領域を示す消去管理情報を保存する保存手段と、前記保存手段で保存された前記消去管理情報に従って、前記不揮発記憶装置の前記ファイルが記憶された領域に対し所定のデータを書き込むことによって当該ファイルを消去する消去手段とを有する。
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
通信装置であって、
通信データをパイプライン処理する複数のプロトコル処理手段と、
第１及び第２の記録手段と、を有し、
前記複数のプロトコル処理手段のうちの第２のプロトコル処理手段より前段の処理を行う第１のプロトコル処理手段は、前記第２のプロトコル処理手段が使用する情報を、前記第１の記録手段から前記第２の記録手段に転送することを特徴とする通信装置。
【請求項２】
前記複数のプロトコル処理手段のそれぞれは、一連のプロトコル処理をそれぞれを行うことを特徴とする請求項１に記載の通信装置。
【請求項３】
コネクションを識別する識別情報を、前記第２の記録手段のアドレスに変換する手段を更に有することを特徴とする請求項１に記載の通信装置。
【請求項４】
前記第２のプロトコル処理手段は、ＴＣＰにおける受信処理を行い、前記第１のプロトコル処理手段は、受信したＩＰパケットのヘッダに含まれるソケット情報に対応する情報を、前記第１の記録手段から前記第２の記録手段に転送することを特徴とする請求項１に記載の通信装置。
【請求項５】
前記第１のプロトコル処理手段は、前記第２のプロトコル処理手段が使用する情報が、前記第２の記録手段に格納されていない場合、前記第１の記録手段から前記第２の記録手段に転送することを特徴とする請求項１に記載の通信装置。
【請求項６】
前記第１のプロトコル処理手段は、前記第２の記録手段に格納された情報を前記第１の記録手段に転送することを特徴とする請求項１に記載の通信装置。
【請求項７】
前記第１のプロトコル処理手段は、コネクションの解放に応じて、前記第２の記録手段に記録された、解放されたコネクションに対応する情報を消去することを特徴とする請求項１に記載の通信装置。
【請求項８】
前記第２のプロトコル処理手段は、通信データの処理のために、前記第２の記録手段に格納された情報を読み出すことを特徴とする請求項１に記載の通信装置。
【請求項９】
通信データをパイプライン処理する複数のプロトコル処理手段を有する通信装置における、前記複数のプロトコル処理手段のうちの第２のプロトコル処理手段の前段の処理を行う第１のプロトコル処理手段が第１の記録手段から第２の記録手段へ情報を転送する転送方法であって、
前記第１のプロトコル処理手段は、前記第２のプロトコル処理手段が使用する情報を、前記第１の記録手段から読み出し、前記第２の記録手段に書き込むことを特徴とする転送方法。
【請求項１０】
通信データをパイプライン処理する複数のプロトコル処理手段を有する通信装置における、前記複数のプロトコル処理手段のうちの第２のプロトコル処理手段より前段の処理を行う第１のプロトコル処理手段が第１の記録手段から第２の記録手段へ情報を転送する転送方法をコンピュータに実行させるためのプログラムであって、
前記第１のプロトコル処理手段に、前記第２のプロトコル処理手段が使用する情報を、前記第１の記録手段から読み出すステップと、前記読み出した情報を前記第２の記録手段に書き込むステップと、を実行させるためのプログラム。
【手続補正２】
【補正対象書類名】明細書
【補正対象項目名】発明の名称
【補正方法】変更
【補正の内容】
【発明の名称】通信装置、転送方法及びプログラム
【手続補正３】
【補正対象書類名】明細書
【補正対象項目名】００１８
【補正方法】変更
【補正の内容】
【００１８】
本発明の通信装置は、通信データをパイプライン処理する複数のプロトコル処理手段と、第１及び第２の記録手段と、を有し、前記複数のプロトコル処理手段のうちの第２のプロトコル処理手段より前段の処理を行う第１のプロトコル処理手段は、前記第２のプロトコル処理手段が使用する情報を、前記第１の記録手段から前記第２の記録手段に転送することを特徴とする。
【手続補正４】
【補正対象書類名】明細書
【補正対象項目名】００１９
【補正方法】変更
【補正の内容】
【００１９】
本発明によれば、複数のプロトコル処理手段によるパイプライン処理を破綻させることなく、例えばＴＣＰＣＢ等のプロトコル制御情報へのアクセスを短時間に行うことが可能となる。
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
紙文書を廃棄する廃棄装置と、紙文書を読み取って得られる画像データを保存する文書管理装置と通信可能なサーバ装置であって、
前記廃棄装置から紙文書を廃棄する旨の通知を受信したことにしたがって、当該紙文書が原本であるか否かを決定する決定手段と、
前記紙文書が原本であると前記決定手段が決定した場合、前記文書管理装置に保存される画像データを削除する通知を行い、前記紙文書が原本でないと前記決定手段が決定した場合、前記文書管理装置に保存される画像データを削除する通知を行わないよう制御する制御手段と、を備えることを特徴とするサーバ装置。
【請求項２】
前記決定手段は、前記廃棄装置から通知される前記紙文書を廃棄する旨の通知に含まれる前記紙文書が原本でないことを示す情報の有無に従って、前記紙文書が原本であるか否かを決定することを特徴とする、請求項１記載のサーバ装置。
【請求項３】
前記制御手段は、前記紙文書が原本でないと前記決定手段が決定した場合、前記廃棄装置から通知される前記紙文書を廃棄する旨の通知に前記紙文書に印刷される画像データの廃棄を許可する情報が含まれていることに従って、前記保存手段に保存された画像データを削除する通知を行うよう制御することを特徴とする、請求項１に記載のサーバ装置。
【請求項４】
紙文書を廃棄する廃棄装置と、紙文書を読み取って得られる画像データを保存する文書管理装置と、履歴管理装置とを備える文書管理システムであって、
前記文書管理装置は、画像データを保存する保存手段を備え、
前記履歴管理装置は、前記廃棄装置から紙文書を廃棄する旨の通知を受信したことにしたがって、当該紙文書が原本であるか否かを決定する決定手段と、前記紙文書が原本であると前記決定手段が決定した場合、前記文書管理装置に保存される画像データを削除する通知を行い、前記紙文書が原本でないと前記決定手段が決定した場合、前記文書管理装置に保存される画像データを削除する通知を行わないよう制御する制御手段と、を備えることを特徴とする文書管理システム。
【請求項５】
紙文書を廃棄する廃棄装置と、紙文書を読み取って得られる画像データを保存する文書管理装置と通信可能なサーバ装置の制御方法であって、
前記廃棄装置から紙文書を廃棄する旨の通知を受信したことにしたがって、当該紙文書が原本であるか否かを決定する決定工程と、
前記決定工程において前記紙文書が原本であると決定された場合、前記文書管理装置に保存される画像データを削除する通知を行い、前記決定工程において前記紙文書が原本でないと決定された場合、前記文書管理装置に保存される画像データを削除する通知を行わないよう制御する制御工程と、を備えることを特徴とするサーバ装置の制御方法。
【手続補正２】
【補正対象書類名】明細書
【補正対象項目名】発明の名称
【補正方法】変更
【補正の内容】
【発明の名称】サーバ装置、文書管理システムおよびサーバ装置の制御方法
【手続補正３】
【補正対象書類名】明細書
【補正対象項目名】０００１
【補正方法】変更
【補正の内容】
【０００１】
本発明は、紙文書を読み取って得られる画像データを保存する文書管理装置と通信可能なサーバ装置、文書管理システムおよびサーバ装置の制御方法に関する。
【手続補正４】
【補正対象書類名】明細書
【補正対象項目名】０００７
【補正方法】変更
【補正の内容】
【０００７】
そこで、本発明は、原本の紙文書を廃棄することで、この紙文書を元に作成された画像データを、簡単な操作で削除できるサーバ装置、文書管理システムおよびサーバ装置の制御方法を提供することを目的とする。
【手続補正５】
【補正対象書類名】明細書
【補正対象項目名】０００８
【補正方法】変更
【補正の内容】
【０００８】
上記目的を達成するために、本発明のサーバ装置は、紙文書を廃棄する廃棄装置と、紙文書を読み取って得られる画像データを保存する文書管理装置と通信可能なサーバ装置であって、前記廃棄装置から紙文書を廃棄する旨の通知を受信したことにしたがって、当該紙文書が原本であるか否かを決定する決定手段と、前記紙文書が原本であると前記決定手段が決定した場合、前記文書管理装置に保存される画像データを削除する通知を行い、前記紙文書が原本でないと前記決定手段が決定した場合、前記文書管理装置に保存される画像データを削除する通知を行わないよう制御する制御手段と、を備えることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明によれば、原本の紙文書を廃棄することで、この紙文書を元に作成された画像データを、簡単な操作で削除できる。例えば、ネットワーク内の複写機などに保存されている、紙文書から作成された全ての画像データの削除処理が非常に簡単な操作で実現される。また、複製された紙文書を廃棄した場合、その紙文書のみが廃棄されるので、誤って画像データを削除してしまうことなく、堅牢性に優れる。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明のサーバ装置、文書管理システムおよびサーバ装置の制御方法の実施の形態について図面を参照しながら説明する。本実施形態の文書管理システムは、ネットワーク対応型複写機および紙原稿廃棄装置を含むネットワーク文書管理システムに適用される。
【手続補正書】
【提出日】平成21年11月12日(2009.11.12)
【手続補正１】
【補正対象書類名】明細書
【補正対象項目名】００１４
【補正方法】変更
【補正の内容】
【００１４】
［１．記録再生装置の構成例］
図１は、記録再生装置１の構成例を示している。
記録再生装置１は、記録再生ヘッド部２と、記録再生用メモリ３と、エンコーダ４と、制御部５と、デコーダ６と、信号切換回路７と、サムネイルメモリ部８と、表示映像生成部９と、映像入力部１０と、映像出力部１１と、操作部１２と、表示部１３を有する。
この記録再生装置１は、例えば記録再生装置１に接続された図示しない編集指示装置や操作装置、或いは記録再生装置１に設けられた操作部１２を用いたユーザ（オペレータ）の操作に応じて、制御部５に対して各種コマンドや操作信号ＳＣが発行される。
制御部５は、ＣＰＵ（Central Processing Unit）により形成され、この制御部５が外部機器からのコマンドや操作部１２からの操作信号ＳＣに応じて各部を制御して光ディスク９０に対する記録動作、再生動作、編集動作、さらには後述するサムネイル一覧表示に関する処理等を実行させる。
【手続補正２】
【補正対象書類名】明細書
【補正対象項目名】００３２
【補正方法】変更
【補正の内容】
【００３２】
［３．基本動作］
本例では、サムネイル一覧表示に対してタッチパッド２０を用いた操作により多様な表示を実現する。ここでは、サムネイル一覧表示に関する基本的な動作を説明する。
まず、光ディスク９０に記録された映像データとサムネイルについて図１１（ａ）で説明する。
図１１（ａ）は、光ディスク９０に記録された映像データを模式的に示している。映像データはクリップという単位で管理されるが、ここではクリップＣＬ１，ＣＬ２，ＣＬ３，ＣＬ４・・・を示している。１つのクリップは、映像素材の連続した１つのまとまりであり、例えば時間的に連続して撮像された映像データなどである。
各クリップについては、その代表画データとしての１フレームが決められる。例えばクリップの開始点から１０秒目までの範囲などで代表画データが選定されることが多い。
例えば各クリップの開始から３秒目のフレームが代表画データとされるとする。図１１（ａ）では、３秒目のフレームなどとして決められる代表画データのフレームを破線で示している。
【手続補正３】
【補正対象書類名】明細書
【補正対象項目名】００４０
【補正方法】変更
【補正の内容】
【００４０】
また、タッチパッド２０の検出モードとしては、「ベクトル検出モード」「位置検出モード」の２つが想定される。
ベクトル検出モードとは、タッチパッド２０に接触する指の動きの方向（即ち接触位置の変化の方向）を検出し、画面１００上のカーソル１０１を動かすようにしたもので、一般的なマウスと同じようにカーソルを移動させるモードである。このベクトル検出モードの場合、画面１００上には、カーソル１０１はタッチパッド２０に指を置く前から表示されている。
位置検出モードとは、タッチパッド２０で検出した指の位置（即ちタッチパッド２０の入力面での接触位置自体）を画面１００上のカーソル１０１の位置として反映させるモードである。この位置検出モードの場合、タッチパッド２０に指を置くことで、画面１００上にカーソル１０１が現れる。
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
配色可能な複数のオブジェクトを含む画像を編集する編集装置であって、
前記画像に含まれる複数のオブジェクトのうち、ユーザにより指定されたオブジェクトの色を抽出する抽出手段と、
前記抽出手段により抽出された色に基づき該抽出された色とは異なる適用色を用いて、前記画像に含まれる複数のオブジェクトうちユーザにより指定されたオブジェクトとは異なるオブジェクトの色を変更する変更手段と、
前記変更手段によってオブジェクトの色が変更された画像を出力装置に出力する出力制御手段と、
を有することを特徴とする編集装置。
【請求項２】
前記出力制御手段は、前記変更手段により色が変更された複数の画像を、ユーザにより選択可能に表示装置に表示させることを特徴とする請求項１の編集装置。
【請求項３】
前記変更手段は前記抽出手段により抽出された一つの色に基づく複数の適用色を用いて、複数のオブジェクトの色を変更することを特徴とする請求項１または２に記載の編集装置。
【請求項４】
前記抽出手段は、ユーザにより指定されたオブジェクトに含まれる色のうちユーザにより選択された色を抽出することを特徴とする請求項１乃至３のいずれか１項に記載の編集装置。
【請求項５】
前記抽出手段は、表示装置に表示されたオブジェクトを含む画像のうちユーザにより指定されたオブジェクトの色を抽出することを特徴とする請求項１乃至４のいずれか１項に記載の編集装置。
【請求項６】
前記出力制御手段は、前記表示装置に表示されたオブジェクトを含む画像と、前記変更手段によりオブジェクトの色が変更された画像とを、前記表示装置に表示させることを特徴とする請求項５に記載の編集装置。
【請求項７】
前記配色可能なオブジェクトは、ラスターデータまたはベクターデータまたはテキストデータであることを特徴とする請求項１乃至６のいずれか１項に記載の編集装置。
【請求項８】
前記抽出手段により抽出された色に基づき、該抽出された色とは異なる少なくとも１つの適用色を生成する生成手段を有し、
前記変更手段は、前記生成手段により生成された適用色を用いてオブジェクトの色を変更することを特徴とする請求項１乃至７のいずれか１項に記載の編集装置。
【請求項９】
前記抽出手段により抽出された色に基づき、複数の適用色が格納されたデータベースから該抽出された色とは異なる適用色を検索する検索手段を有し、
前記変更手段は、前記検索手段により検索された適用色を用いてオブジェクトの色を変更することを特徴とする請求項１乃至７のいずれか１項に記載の編集装置。
【請求項１０】
配色可能な複数のオブジェクトを含む画像を編集する編集方法であって、
前記画像に含まれる複数のオブジェクトのうち、ユーザにより指定されたオブジェクトの色を抽出する抽出工程と、
前記抽出工程で抽出された色に基づき該抽出された色とは異なる適用色を用いて、前記画像に含まれる複数のオブジェクトのうちユーザにより指定されたオブジェクトとは異なるオブジェクトの色を変更する変更工程と、
前記変更工程においてオブジェクトの色が変更された画像を出力装置に出力する出力制御工程と、
を有することを特徴とする編集方法。
【請求項１１】
請求項１０に記載の編集方法をコンピュータに実行させるためのプログラム。
【手続補正２】
【補正対象書類名】明細書
【補正対象項目名】発明の名称
【補正方法】変更
【補正の内容】
【発明の名称】編集装置、編集方法、およびプログラム
【手続補正３】
【補正対象書類名】明細書
【補正対象項目名】０００１
【補正方法】変更
【補正の内容】
【０００１】
本発明は、配色可能な複数のオブジェクトを含む画像を編集する編集装置に関する。
【手続補正４】
【補正対象書類名】明細書
【補正対象項目名】００１５
【補正方法】変更
【補正の内容】
【００１５】
上記の課題を鑑みて本発明は、配色可能な複数のオブジェクトを含む画像を編集する編集装置であって、前記画像に含まれる複数のオブジェクトのうち、ユーザにより指定されたオブジェクトの色を抽出する抽出手段と、前記抽出手段により抽出された色に基づき該抽出された色とは異なる適用色を用いて、前記画像に含まれる複数のオブジェクトうちユーザにより指定されたオブジェクトとは異なるオブジェクトの色を変更する変更手段と、前記変更手段によってオブジェクトの色が変更された画像を出力装置に出力する出力制御手段と、を有することを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
ドキュメントの編集を行う編集領域を画面に表示する編集領域表示手段と、
前記ドキュメントの編集に使用される素材を一覧表示する素材表示手段と、
前記素材表示手段で表示された素材の中から選択された素材をドキュメントに追加するレイアウト編集手段と、
前記レイアウト編集手段で編集されたドキュメントをファイルに保存する際に、前記素材表示手段で表示されていた素材の保管領域へのパスを該ドキュメントに関連付けてファイルに追加し、ドキュメントを含むファイルが新たに開かれた際に、該ファイルに対して前記素材表示手段で表示される素材の保管領域へのパスが関連付けられている否かを判断し、関連付けられていると判断された場合に、当該ファイルのドキュメントを前記編集領域表示手段で表示するとともに関連付けられているパスに対応する保管領域から素材を読み出して前記素材表示手段で表示する制御手段を有することを特徴とする編集装置。
【請求項２】
請求項１において、ドキュメントを新規作成する場合および素材の保管領域へのパスに関連づけられていないドキュメントのファイルが開かれた場合に、前記素材表示手段ですでに表示中の素材の表示を維持することを特徴とすることを特徴とする編集装置。
【請求項３】
請求項１において、前記素材表示手段による素材の表示中に、ドキュメントを含むファイルが新たに開かれた際、該ファイルに関連付けられたパスに保管された素材が表示中の素材とは異なる場合、表示中の素材を該ファイルに関連付けられたパスに保管された素材に変更することを特徴とする編集装置。
【請求項４】
請求項１において、前記素材表示手段はカテゴリごとに分けてそれぞれ異なる表示領域に素材を表示することを特徴とする編集装置。
【請求項５】
ドキュメントの編集を行う編集領域を画面に表示する編集領域表示と、
前記ドキュメントの編集に使用される素材の表示を行うサブウィンドウであり、ユーザーの操作に応じてサブウィンドウが表示される位置を移動させることが可能なサブウィンドウ表示手段と、
前記ドキュメントを保存する時に該サブウィンドウの画面内での表示されている位置を示す情報を、該ドキュメントに関連付けて保存し、サブウィンドウの画面内での表示されている位置を示す情報が関連付けされているドキュメントが開かれた場合に、前記サブウィンドウを、保存されている位置を示す情報に従った位置に表示する制御手段を有することを特徴とする編集装置。
【請求項６】
ドキュメントの編集を行う編集領域を画面に表示する編集領域表示工程と、
前記ドキュメントの編集に使用される素材を一覧表示する素材表示工程と、
前記素材表示工程で表示された素材の中から選択された素材をドキュメントに追加するレイアウト編集工程と、
前記レイアウト編集工程で編集されたドキュメントをファイルに保存する際に、前記素材表示手段で表示されていた素材の保管領域へのパスを該ドキュメントに関連付けてファイルに追加し、ドキュメントを含むファイルが新たに開かれた際に、該ファイルに対して前記素材表示工程で表示される素材の保管領域へのパスが関連付けられている否かを判断し、関連付けられていると判断された場合に、当該ファイルのドキュメントを前記編集領域表示工程で表示するとともに関連付けられているパスに対応する保管領域から素材を読み出して前記素材表示工程で表示する制御工程を有することを特徴とする編集方法。
【請求項７】
ドキュメントの編集を行う編集領域を画面に表示する編集領域工程と、
前記ドキュメントの編集に使用される素材の表示を行うサブウィンドウであり、ユーザーの操作に応じてサブウィンドウが表示される位置を移動させることが可能なサブウィンドウ表示工程と、
前記ドキュメントを保存する時に該サブウィンドウの画面内での表示されている位置を示す情報を、該ドキュメントに関連付けて保存し、サブウィンドウの画面内での表示されている位置を示す情報が関連付けされているドキュメントが開かれた場合に、前記サブウィンドウを、保存されている位置を示す情報に従った位置に表示する制御工程を有することを特徴とする編集方法。
【請求項８】
請求項１〜５記載の編集装置の各手段をそれぞれコンピュータに実行させる編集プログラム。
【手続補正２】
【補正対象書類名】明細書
【補正対象項目名】０００７
【補正方法】変更
【補正の内容】
【０００７】
上記課題を解決するため、本発明の編集装置は、ドキュメントの編集を行う編集領域を画面に表示する編集領域表示手段と、前記ドキュメントの編集に使用される素材を一覧表示する素材表示手段と、前記素材表示手段で表示された素材の中から選択された素材をドキュメントに追加するレイアウト編集手段と、前記レイアウト編集手段で編集されたドキュメントをファイルに保存する際に、前記素材表示手段で表示されていた素材の保管領域へのパスを該ドキュメントに関連付けてファイルに追加し、ドキュメントを含むファイルが新たに開かれた際に、該ファイルに対して前記素材表示手段で表示される素材の保管領域へのパスが関連付けられている否かを判断し、関連付けられていると判断された場合に、当該ファイルのドキュメントを前記編集領域表示手段で表示するとともに関連付けられているパスに対応する保管領域から素材を読み出して前記素材表示手段で表示する制御手段を有する。
【手続補正３】
【補正対象書類名】明細書
【補正対象項目名】０００８
【補正方法】変更
【補正の内容】
【０００８】
また、本発明の編集装置は、ドキュメントの編集を行う編集領域を画面に表示する編集領域表示と、前記ドキュメントの編集に使用される素材の表示を行うサブウィンドウであり、ユーザーの操作に応じてサブウィンドウが表示される位置を移動させることが可能なサブウィンドウ表示手段と、前記ドキュメントを保存する時に該サブウィンドウの画面内での表示されている位置を示す情報を、該ドキュメントに関連付けて保存し、サブウィンドウの画面内での表示されている位置を示す情報が関連付けされているドキュメントが開かれた場合に、前記サブウィンドウを、保存されている位置を示す情報に従った位置に表示する制御手段を有する。
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
オブジェクトを含む画像を編集する編集装置であって、
ユーザによる指示に応じて、前記画像に含まれるオブジェクトから少なくとも１つのオブジェクトを選択する選択手段と、
前記選択手段による選択の内容に応じた編集方法の候補を、ユーザにより選択可能に表示装置に表示させる表示制御手段と、
前記表示制御手段により表示された編集方法の候補のうちユーザにより選択された編集方法で、前記選択手段により選択されたオブジェクトを編集する編集手段と、
を有することを特徴とする編集装置。
【請求項２】
前記選択手段は、前記表示装置に表示された画像に含まれるオブジェクトのうちユーザによって指定されたオブジェクトを選択し、前記表示制御手段は、前記表示装置において前記選択手段によりオブジェクトが選択された画像が表示されていた領域に、前記編集手段により編集された画像を表示させることを特徴とする請求項１に記載の編集装置。
【請求項３】
前記表示制御手段は、前記選択手段により選択されたオブジェクトの種類に応じた編集方法の候補を表示装置に表示させることを特徴とする請求項１または２に記載の編集装置。
【請求項４】
前記画像に含まれるオブジェクトは、ラスターデータまたはベクターデータまたはテキストデータであることを特徴とする請求項３に記載の編集装置。
【請求項５】
前記選択手段により選択されたオブジェクトがラスターデータまたはベクターデータの場合に、前記表示制御手段は前記オブジェクトの色変更を編集方法の候補として表示させることを特徴とする請求項４に記載の編集装置。
【請求項６】
前記選択手段により選択されたオブジェクトがテキストデータの場合に、前記表示制御手段はテキストに対する装飾を編集方法の候補として表示させることを特徴とする請求項４または５に記載の編集装置。
【請求項７】
前記選択手段により選択されたオブジェクトがラスターデータの場合に、前記オブジェクトに対する画像補正処理を編集方法の候補として表示させることを特徴とする請求項４乃至６のいずれか１項に記載の編集装置。
【請求項８】
前記表示制御手段は、前記選択手段により選択されたオブジェクトの数に応じた編集方法の候補を表示装置に表示させることを特徴とする請求項１または２に記載の編集装置。
【請求項９】
前記選択手段により複数のオブジェクトが選択され場合に、前記表示制御手段は、前記複数のオブジェクトのうち少なくとも１つのオブジェクトの前記画像における位置の変更を編集方法の候補として表示させることを特徴とする請求項８に記載の編集装置。
【請求項１０】
前記選択手段により複数のオブジェクトが選択され場合に、前記表示制御手段は、前記選択手段により選択された複数のオブジェクトの変倍を編集方法の候補として表示させることを特徴とする請求項８または９に記載の編集装置。
【請求項１１】
前記選択手段により複数のオブジェクトが選択され場合に、前記表示制御手段は、前記選択手段により選択された複数のオブジェクトの回転を編集方法の候補として表示させることを特徴とする請求項８乃至１０のいずれか１項に記載の編集装置。
【請求項１２】
オブジェクトを含む画像を編集する編集方法であって、
ユーザによる指示に応じて、前記画像に含まれるオブジェクトから少なくとも１つのオブジェクトを選択する選択工程と、
前記選択工程における選択の内容に応じた編集方法の候補を、ユーザにより選択可能に表示装置に表示させる表示制御工程と、
前記表示制御工程において表示された編集方法の候補のうちユーザにより選択された編集方法で、前記選択工程において選択されたオブジェクトを編集する編集工程と、を有することを特徴とする編集方法。
【請求項１３】
請求項１２に記載の編集方法をコンピュータに実行させるためのプログラム。
【手続補正２】
【補正対象書類名】明細書
【補正対象項目名】発明の名称
【補正方法】変更
【補正の内容】
【発明の名称】編集装置、編集方法、およびプログラム
【手続補正３】
【補正対象書類名】明細書
【補正対象項目名】０００１
【補正方法】変更
【補正の内容】
【０００１】
本発明は、オブジェクトを含む画像を編集する編集装置に関する。
【手続補正４】
【補正対象書類名】明細書
【補正対象項目名】００１５
【補正方法】変更
【補正の内容】
【００１５】
上記の課題を鑑みて本発明は、オブジェクトを含む画像を編集する編集装置であって、ユーザによる指示に応じて、前記画像に含まれるオブジェクトから少なくとも１つのオブジェクトを選択する選択手段と、前記選択手段による選択の内容に応じた編集方法の候補を、ユーザにより選択可能に表示装置に表示させる表示制御手段と、前記表示制御手段により表示された編集方法の候補のうちユーザにより選択された編集方法で、前記選択手段により選択されたオブジェクトを編集する編集手段と、を有することを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
マスターテンプレート上のオブジェクトを、データベースに記憶されたデータに置き換えたものとしたレコードの画像の印刷処理を行うための画像処理装置において、
前記データベース上のデータに置き換えられたレコードの画像の印刷処理を行って得た印刷物を掲示する場所の光源に関する情報を取得する取得手段と、
前記取得手段で取得した情報に基づき、前記レコードの画像を補正する補正手段と、
前記補正手段により補正された画像に従って印刷処理を行う印刷処理手段とを有することを特徴とする画像処理装置。
【請求項２】
前記データベースに記憶されたデータに対し、印刷物を掲示する場所の光源に関する情報を設定する設定手段を有し、
前記取得手段は、前記データベース上のデータの指定に応じて設定手段で設定された光源に関する情報を取得することを特徴とする請求項１に記載の画像処理装置。
【請求項３】
前記設定手段は、前記光源に関する情報に応じた補正値を設定可能であり、前記補正手段は、前記設定手段により設定された補正値を用いて画像を補正することを特徴とする請求項２に記載の画像処理装置。
【請求項４】
前記取得手段により取得される光源に関する情報は、光源の種類、輝度、色温度に関する情報を含むことを特徴とする請求項１乃至３のいずれか１項に記載の画像処理装置。
【請求項５】
前記補正手段は、前記レコードに基づく画像の明るさ、色、シャープ、モノクロ処理、ソフトフォーカス、コントラスト調整、ガンマ調整のいずれかにより補正を行うことを特徴とする請求項１乃至４のいずれか１項に記載の画像処理装置。
【請求項６】
マスターテンプレート上のオブジェクトを、データベースに記憶されたデータに置き換えたものとしたレコードの画像の印刷処理を行うプリント方法であって、
前記データベース上のデータに置き換えられたレコードの画像の印刷処理を行って得た印刷物を掲示する場所の光源に関する情報を取得する取得工程と、
前記取得工程で取得した情報に基づき、前記レコードの画像を補正する補正工程と、
前記補正工程において補正された画像に従って印刷処理を行う印刷処理手段とを有することを特徴とするプリント方法。
【請求項７】
請求項１乃至５のいずれか１項に記載の画像処理装置の各手段をコンピューターに実行させるプログラム。
【手続補正２】
【補正対象書類名】明細書
【補正対象項目名】００１０
【補正方法】変更
【補正の内容】
【００１０】
前述の課題を解決するため、本発明は、マスターテンプレート上のオブジェクトを、データベースに記憶されたデータに置き換えたものとしたコードの画像の印刷処理を行うための画像処理装置において、前記データベース上のデータに置き換えられたレコードの画像の印刷処理を行って得た印刷物を掲示する場所の光源に関する情報を取得する取得手段と、前記取得手段で取得した情報に基づき、前記レコードの画像を補正する補正手段と、前記補正手段により補正された画像に従って印刷処理を行う印刷処理手段とを有する。
【手続補正３】
【補正対象書類名】明細書
【補正対象項目名】００１１
【補正方法】削除
【補正の内容】
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
複数の画像を保持する記憶装置とのデータ通信が可能な画像処理装置であって、
画像の特徴量を求める第１の計算手段と、
前記画像処理装置が予め定められた処理を実行する際に使用した画像の特徴量を前記第１の計算手段を用いて求め、該求めた特徴量を、前記画像処理装置で過去に扱った画像の履歴としての履歴ファイルに登録する登録手段と、
クエリとして用いるクエリ画像が入力された場合に、該クエリ画像の特徴量を前記第１の計算手段を用いて求め、該求めたクエリ画像の特徴量と、前記記憶装置に保持されているそれぞれの画像の特徴量と、の類似度を求める第２の計算手段と、
前記記憶装置に保持されている複数の画像のうち、前記第２の計算手段で求めた類似度が閾値以上となった画像を候補画像とし、該候補画像毎に、該候補画像の特徴量と前記履歴ファイルに登録されている前記過去に扱った画像の特徴量それぞれとの類似度のうち最大類似度を特定する特定手段と、
前記特定手段が特定した最大類似度が高い候補画像から順に、該候補画像に関する情報を表示する表示手段と
を備えることを特徴とする画像処理装置。
【請求項２】
前記特定手段が用いる履歴ファイルは、前記画像処理装置が過去に扱った画像の特徴量が登録された履歴ファイル、若しくは前記画像処理装置と異なる処理装置が過去に扱った画像の特徴量が登録された履歴ファイル、の何れかであることを特徴とする請求項１に記載の画像処理装置。
【請求項３】
更に、
前記特定手段が、前記画像処理装置が過去に扱った画像の特徴量が登録された履歴ファイル、前記画像処理装置と異なる処理装置が過去に扱った画像の特徴量が登録された履歴ファイル、のいずれを用いるかを、ユーザに選択させる選択手段を備えることを特徴とする請求項２に記載の画像処理装置。
【請求項４】
前記表示手段で表示する前記候補画像に関する情報は、前記候補画像、前記候補画像のファイル名、前記候補画像のサムネイル、のうちの少なくとも１つであることを特徴とする請求項１に記載の画像処理装置。
【請求項５】
前記予め定められた処理は、画像のコピー、画像の送信、画像のプリント、画像の格納、の少なくとも１つのジョブの処理を含み、
前記登録手段は、前記第１の計算手段が求めた特徴量を、実行されたジョブの種類と対応付けて前記履歴ファイルに登録することを特徴とする請求項１乃至４の何れか１項に記載の画像処理装置。
【請求項６】
更に、
前記履歴ファイルから１以上のジョブの種類を選択する第２選択手段を備え、
前記特定手段は、前記第２選択手段が選択したジョブの種類に対応付けて前記履歴ファイルに登録されている特徴量と、前記候補画像の特徴量と、の最大類似度を、前記候補画像毎に特定することを特徴とする請求項５に記載の画像処理装置。
【請求項７】
複数の画像を保持する記憶装置とのデータ通信が可能な画像処理装置が行う画像処理方法であって、
画像の特徴量を求める第１の計算工程と、
前記画像処理装置が予め定められた処理を実行する際に使用した画像の特徴量を前記第１の計算工程を用いて求め、該求めた特徴量を、前記画像処理装置で過去に扱った画像の履歴としての履歴ファイルに登録する登録工程と、
クエリとして用いるクエリ画像が入力された場合に、該クエリ画像の特徴量を前記第１の計算工程を用いて求め、該求めたクエリ画像の特徴量と、前記記憶装置に保持されているそれぞれの画像の特徴量と、の類似度を求める第２の計算工程と、
前記記憶装置に保持されている複数の画像のうち、前記第２の計算工程で求めた類似度が閾値以上となった画像を候補画像とし、該候補画像毎に、該候補画像の特徴量と前記履歴ファイルに登録されている前記過去に扱った画像の特徴量それぞれとの類似度のうち最大類似度を特定する特定工程と、
前記特定工程で特定した最大類似度が高い候補画像から順に、該候補画像に関する情報を表示する表示工程と
を備えることを特徴とする画像処理方法。
【請求項８】
コンピュータを、請求項１乃至６の何れか１項に記載の画像処理装置が有する各手段として機能させるためのコンピュータプログラム。
【請求項９】
請求項８に記載のコンピュータプログラムを格納した、コンピュータ読み取り可能な記憶媒体。
【手続補正２】
【補正対象書類名】明細書
【補正対象項目名】００１３
【補正方法】変更
【補正の内容】
【００１３】
即ち、複数の画像を保持する記憶装置とのデータ通信が可能な画像処理装置であって、
画像の特徴量を求める第１の計算手段と、
前記画像処理装置が予め定められた処理を実行する際に使用した画像の特徴量を前記第１の計算手段を用いて求め、該求めた特徴量を、前記画像処理装置で過去に扱った画像の履歴としての履歴ファイルに登録する登録手段と、
クエリとして用いるクエリ画像が入力された場合に、該クエリ画像の特徴量を前記第１の計算手段を用いて求め、該求めたクエリ画像の特徴量と、前記記憶装置に保持されているそれぞれの画像の特徴量と、の類似度を求める第２の計算手段と、
前記記憶装置に保持されている複数の画像のうち、前記第２の計算手段で求めた類似度が閾値以上となった画像を候補画像とし、該候補画像毎に、該候補画像の特徴量と前記履歴ファイルに登録されている前記過去に扱った画像の特徴量それぞれとの類似度のうち最大類似度を特定する特定手段と、
前記特定手段が特定した最大類似度が高い候補画像から順に、該候補画像に関する情報を表示する表示手段と
を備えることを特徴とする。
【手続補正３】
【補正対象書類名】明細書
【補正対象項目名】００１５
【補正方法】変更
【補正の内容】
【００１５】
即ち、複数の画像を保持する記憶装置とのデータ通信が可能な画像処理装置が行う画像処理方法であって、
画像の特徴量を求める第１の計算工程と、
前記画像処理装置が予め定められた処理を実行する際に使用した画像の特徴量を前記第１の計算工程を用いて求め、該求めた特徴量を、前記画像処理装置で過去に扱った画像の履歴としての履歴ファイルに登録する登録工程と、
クエリとして用いるクエリ画像が入力された場合に、該クエリ画像の特徴量を前記第１の計算工程を用いて求め、該求めたクエリ画像の特徴量と、前記記憶装置に保持されているそれぞれの画像の特徴量と、の類似度を求める第２の計算工程と、
前記記憶装置に保持されている複数の画像のうち、前記第２の計算工程で求めた類似度が閾値以上となった画像を候補画像とし、該候補画像毎に、該候補画像の特徴量と前記履歴ファイルに登録されている前記過去に扱った画像の特徴量それぞれとの類似度のうち最大類似度を特定する特定工程と、
前記特定工程で特定した最大類似度が高い候補画像から順に、該候補画像に関する情報を表示する表示工程と
を備えることを特徴とする。
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
オブジェクトデータに含まれる位置情報に従ってワールド座標に配置されたオブジェクトを、ワールド座標に配置されたスクリーンに投影することによって当該スクリーン上に得られる擬似３次元画像を生成する生成手段と、
前記擬似３次元画像の各画素の色値を、該画素に投影されている前記オブジェクトの前記オブジェクトデータに含まれる第１のアピアランス情報を用いて、知覚値に変換する順変換手段と、
前記擬似３次元画像の各画素の前記知覚値を、該各画素に共通に使用される予め定められた第２のアピアランス情報を用いて色値に変換することにより、色変換後の擬似３次元画像を生成する逆変換手段と、
を有することを特徴とする画像生成装置。
【請求項２】
前記第１のアピアランス情報は、順応白色点であることを特徴とする請求項１に記載の画像生成装置。
【請求項３】
前記第１のアピアランス情報を、ユーザの指示に応じて設定する設定手段をさらに備えることを特徴とする、請求項１又は２に記載の画像生成装置。
【請求項４】
オブジェクトデータに含まれる位置情報に従ってワールド座標に配置されたオブジェクトを、ワールド座標に配置されたスクリーンに投影することによって当該スクリーン上に得られる擬似３次元画像を生成する生成工程と、
前記擬似３次元画像の各画素の色値を、該画素に投影されている前記オブジェクトの前記オブジェクトデータに含まれる第１のアピアランス情報を用いて、知覚値に変換する順変換工程と、
前記擬似３次元画像の各画素の前記知覚値を、該各画素に共通に使用される予め定められた第２のアピアランス情報を用いて色値に変換することにより、色変換後の疑似３次元画像を生成する逆変換工程と、
を有することを特徴とする画像生成方法。
【請求項５】
コンピュータ上で実行されることによって、該コンピュータを請求項１乃至３のいずれか１項に記載の画像生成装置が有する各手段として機能させることを特徴とするコンピュータプログラム。
【手続補正２】
【補正対象書類名】明細書
【補正対象項目名】００１１
【補正方法】変更
【補正の内容】
【００１１】
すなわち、オブジェクトデータに含まれる位置情報に従ってワールド座標に配置されたオブジェクトを、ワールド座標に配置されたスクリーンに投影することによって当該スクリーン上に得られる擬似３次元画像を生成する生成手段と、前記擬似３次元画像の各画素の色値を、該画素に投影されている前記オブジェクトの前記オブジェクトデータに含まれる第１のアピアランス情報を用いて、知覚値に変換する順変換手段と、前記擬似３次元画像の各画素の前記知覚値を、該各画素に共通に使用される予め定められた第２のアピアランス情報を用いて色値に変換することにより、色変換後の擬似３次元画像を生成する逆変換手段と、を有することを特徴とする。
【手続補正３】
【補正対象書類名】明細書
【補正対象項目名】００１２
【補正方法】変更
【補正の内容】
【００１２】
本発明によれば、オブジェクトごとに設定されたアピアランス情報を用いて変換することにより、人間の視覚の順応状態に基づいた良好な擬似３次元画像を生成することができる。